(57)【要約】  【課題】  外壁パネルの幅方向の一端部を嵌合により接合し、反対側端部をタッピングビス等により壁下地に固定する構造であるにもかかわらず強風下においても嵌合が容易に外れないようにする。  【解決手段】  主板部１と、主板部の幅方向両端から内側へ折れ曲がった両側板部２ａ，２ｂと、一方の側板部２ａの内端から外方へ折れ曲がった挿入用接合部３と、他方の側板部２ｂの内端から内方へ折れ曲がった後、外方へ折り返されて、溝状に形成され、且つ、当該側板部より外方まで延出された被挿入用接合部４とを備えた外壁パネルの一端部を嵌合により接合し、反対の端部をタッピングビス等の止め具５により壁下地Ｂに固定する構造において、被挿入用接合部４の表面側に、被挿入用接合部４に挿入された挿入用接合部側の側板部２ａと対峙し、当該側板部２ａとの間に挿入用接合部と被挿入用接合部との嵌合深さＬ1よりも狭い隙間Ｌ2を形成する立上り部６を設ける。  【選択図】  図１
2006161339.tif 000002
【特許請求の範囲】
【請求項１】
主板部と、主板部の幅方向両端から内側へ折れ曲がった両側板部と、一方の側板部の内端から外方へ折れ曲がった挿入用接合部と、他方の側板部の内端から内方へ折れ曲がった後、外方へ折り返されて、溝状に形成され、且つ、当該側板部より外方まで延出された被挿入用接合部とを備えた外壁パネルの前記被挿入用接合部を壁下地にタッピングビス等の止め具により固定し、隣接する外壁パネルの挿入用接合部を前記被挿入用接合部に表面側から挿入した後、当該外壁パネルの被挿入用接合部を壁下地にタッピングビス等の止め具により固定していくようにした外壁パネルの取付け構造であって、被挿入用接合部の表面側に、被挿入用接合部に挿入された挿入用接合部側の側板部と対峙し、当該側板部との間に挿入用接合部と被挿入用接合部との嵌合深さよりも狭い隙間を形成する立上り部を設けたことを特徴とする外壁パネルの取付け構造。
【請求項２】
請求項１に記載の外壁パネルの取付け構造であって、前記立上り部が被挿入用接合部に重ねて壁下地にタッピングビス等の止め具により固定された補強金具によって形成されていることを特徴とする外壁パネルの取付け構造。
【請求項３】
請求項１に記載の外壁パネルの取付け構造であって、前記立上り部が被挿入用接合部に一体成形されていることを特徴とする外壁パネルの取付け構造。
【発明の詳細な説明】
【技術分野】
【０００１】
本発明は、例えば、工場、倉庫、店舗などの建物や屋上塔屋における外壁面を構成する外壁パネルの取付け構造に関する。
【背景技術】
【０００２】
工場、倉庫、店舗などの建物や屋上塔屋における外壁面を構成するにあたり、図７に示すように、主板部１と、主板部１の幅方向両端から内側へ折れ曲がった両側板部２ａ，２ｂと、一方の側板部２ａの内端から外方へ折れ曲がった挿入用接合部３と、他方の側板部２ｂの内端から内方へ折れ曲がった後、外方へ折り返されて、溝状に形成され、且つ、当該側板部２ｂより外方まで延出された被挿入用接合部４とを備えた外壁パネルＡの前記被挿入用接合部４を壁下地Ｂにタッピングビス等の止め具５により固定し、隣接する外壁パネルＡの挿入用接合部３を前記被挿入用接合部４に表面側から挿入した後、当該外壁パネルＡの被挿入用接合部４を壁下地Ｂにタッピングビス等の止め具５により固定していくようにした外壁パネルの取付け構造は、特許文献１，２等によって知られている。
【０００３】
この種の外壁パネル取付け構造は、外壁パネルＡの幅方向の一端部を嵌合（挿入用接合部３と被挿入用接合部４との嵌合）により接合し、その反対の端部（被挿入用接合部４の延出部位）をタッピングビス等の止め具５により壁下地Ｂに固定するため、嵌合部分において自由度が高く、施工が容易であり、例えば、外壁パネルＡの幅方向に曲面となるように施工（いわゆるＲ張り施工）して、外壁面に曲面を持たせたデザイン性に優れた建物や屋上塔屋を建設することが可能である。
【０００４】
その反面、嵌合部分における自由度が高いため、台風などの強風時に生じる負圧によって外壁パネルＡが外側（屋外側）に引っ張られたとき、図７に仮想線で示すように、主板部１が外側に膨らみ、被挿入用接合部４に対する挿入用接合部３の嵌合深さが浅くなって、嵌合による接合強度が低下し、嵌合が外れる可能性があった。特に、外壁パネルＡの幅方向に凸の曲面となるＲ張り施工では、平面張り施工時よりも被挿入用接合部４に対する挿入用接合部３の嵌合深さが浅くなるので、その傾向が大きい。
【０００５】
そのため、従来より、外壁パネルＡの幅を狭く設定したり、特許文献２に記載のように、主板部１を中央側が両端側よりも内側（屋内側）に凹入した断面形状として、壁下地Ｂに取り付けた状態において主板部１の幅方向中央部が弾性復元力によって壁下地Ｂに押圧付勢されるようにしたり、主板部１の中央に壁下地Ｂと当接する溝状の補強リブを形成するなど、主板部１の膨らみを防止する様々な配慮がなされているが、風速５０ｍを越えるような強い台風時の圧力に耐えることは困難であった。
【０００６】
【特許文献１】特許第２８２０３７９号公報
【特許文献２】実用新案登録第２６０４８７２号公報
【発明の開示】
【発明が解決しようとする課題】
【０００７】
本発明は、上記の問題点を踏まえてなされたもので、その目的とするところは、外壁パネルの幅方向の一端部を嵌合により接合し、その反対の端部をタッピングビス等の止め具により壁下地に固定する構造であるにもかかわらず強風下においても嵌合が容易に外れないようにした外壁パネルの取付け構造を提供することにある。
【課題を解決するための手段】
【０００８】
上記の目的を達成するために、本発明が講じた技術的手段は、次の通りである。即ち、請求項１に記載の発明は、主板部と、主板部の幅方向両端から内側へ折れ曲がった両側板部と、一方の側板部の内端から外方へ折れ曲がった挿入用接合部と、他方の側板部の内端から内方へ折れ曲がった後、外方へ折り返されて、溝状に形成され、且つ、当該側板部より外方まで延出された被挿入用接合部とを備えた外壁パネルの前記被挿入用接合部を壁下地にタッピングビス等の止め具により固定し、隣接する外壁パネルの挿入用接合部を前記被挿入用接合部に表面側から挿入した後、当該外壁パネルの被挿入用接合部を壁下地にタッピングビス等の止め具により固定していくようにした外壁パネルの取付け構造であって、被挿入用接合部の表面側に、被挿入用接合部に挿入された挿入用接合部側の側板部と対峙し、当該側板部との間に挿入用接合部と被挿入用接合部との嵌合深さよりも狭い隙間を形成する立上り部を設けたことを特徴としている。
【０００９】
尚、前記立上り部は、請求項２に記載の発明のように、被挿入用接合部に重ねて壁下地にタッピングビス等の止め具により固定された補強金具によって形成してもよく、請求項３に記載の発明のように、被挿入用接合部に一体成形してもよい。
【発明の効果】
【００１０】
請求項１に記載の発明によれば、台風などの強風時に生じる負圧によって外壁パネルが外側（屋外側）に引っ張られたとき、主板部が外側に膨らむにつれて、挿入用接合部が被挿入用接合部から抜け出る方向に移動するが、側板部が立上り部に当接して、それ以上の抜け出し方向への移動が立上り部によって阻止されるので、嵌合深さが一定以上に浅くならず、嵌合の外れが防止されることになる。
【００１１】
従って、外壁パネルの幅方向の一端部を嵌合により接合し、その反対の端部をタッピングビス等の止め具により壁下地に固定する構造であるにもかかわらず強風下においても嵌合が容易に外れることがない。
【００１２】
請求項２に記載の発明によれば、外壁パネルとは別個の補強金具によって前記立上り部を形成するので、外壁パネルとしては既製のものでよく、既存の外壁面に対する適用、耐風性能の向上が可能である。
【００１３】
請求項３に記載の発明によれば、外壁パネルの被挿入用接合部に前記立上り部を一体成形するので、既製の外壁パネルに比して外壁パネルの断面形状が変更されるだけであり、外壁面を構成する部材点数が少なくて済むばかりでなく、一体成形された立上り部が水返しとして機能するので、たとえ挿入用接合部と被挿入用接合部の嵌合部に雨水が浸入しても、それ以上の浸入を確実に阻止できるという効果がある。
【発明を実施するための最良の形態】
【００１４】
図１は、本発明に係る外壁パネルの取付け構造の一例を示し、図２、図３は、その要部を示す。図において、Ａはカラー鋼板の折り曲げ加工によって製造された外壁パネルで、主板部１と、主板部１の幅方向両端から内側（屋内側）へ略直角に折れ曲がった両側板部２ａ，２ｂと、一方の側板部２ａの内端から外方へ折れ曲がった挿入用接合部３と、他方の側板部２ｂの内端から内方へ折れ曲がった後、外方へ折り返されて、溝状に形成され、且つ、当該側板部２ｂより外方まで延出された被挿入用接合部４とを備えている。外壁パネルＡの寸法は、例えば長さ１〜１０メートル、主板部１の幅１００〜２００ミリメートル程度など、適宜設定される。
【００１５】
前記外壁パネルＡの取付け構造は、前記被挿入用接合部４を壁下地Ｂにタッピングビス等の止め具５により固定し、隣接する外壁パネルＡの挿入用接合部３を前記被挿入用接合部４に表面側（屋外側）から挿入した後、当該外壁パネルＡの被挿入用接合部４を壁下地Ｂにタッピングビス等の止め具５により固定していくように構成されたもので、前記各被挿入用接合部４の表面側に、被挿入用接合部４に挿入された挿入用接合部３側の側板部２ａと対峙し、当該側板部２ａとの間に挿入用接合部３と被挿入用接合部４との嵌合深さＬ1よりも狭い隙間Ｌ2を形成する立上り部６を設けた点に特徴がある。
【００１６】
前記立上り部６は、図１、図３に示すように、被挿入用接合部４の上に重ねて壁下地Ｂにタッピングビス等の止め具５により固定された補強金具Ｃによって形成されている。止め具５としては、釘やタッピングビス等を使用できるが、図示の実施形態では、タッピングビスを使用しているので、タッピングビス等の止め具５と記載している。
【００１７】
前記補強金具Ｃは、被挿入用接合部４の上に重ね合せる基板部７ａと、その一端から立ち上がった立上り板部７ｂとで断面略Ｌ字状に構成されている。基板部７ａの他端には、被挿入用接合部４の端縁に係合する係止片７ｃが屈曲形成され、係止片７ｃを被挿入用接合部４の端縁に係合させることによって、補強金具Ｃの位置決めと、回り止めを行うように構成されている。補強金具Ｃとしては、外壁パネルＡの全長にわたって連続するような長尺物であってもよいが、この実施形態では、外壁パネルＡの長さに比して短いピース物とされ、適当ピッチで壁下地Ｂに固定するように構成されている。７ｄは基板部７ａと立上り板部７ｂにわたって連続するように形成された補強リブ、７ｅは止め具５挿入用の孔である。
【００１８】
上記の構成によれば、図３の（Ａ）に示すように、先行して壁下地Ｂに固定された壁パネルＡの側板部２ｂと立上り部６との隙間に、次の壁パネルＡの挿入用接合部３を表面側から差し込んで、仮想線で示す状態から実線で示す状態へと、当該壁パネルＡを側板部２ａと挿入用接合部３の角部を中心に矢印ａ方向に回転させつつ当該壁パネルＡを押し込むことにより、図３の（Ｂ）に実線で示すように、挿入用接合部３を被挿入用接合部４に嵌め込むことができる。
【００１９】
施工が完了した状態においては、図１や図３の（Ｂ）に実線で示すように、挿入用接合部３側の側板部２ａと立上り部６との間に、挿入用接合部３と被挿入用接合部４との嵌合深さＬ1よりも狭い隙間Ｌ2が形成されているので、台風などの強風時に生じる負圧によって外壁パネルＡが外側（屋外側）に引っ張られたとき、主板部１が外側に膨らむにつれて、前記隙間Ｌ2の範囲内で挿入用接合部３が被挿入用接合部４から抜け出る方向に移動するが、側板部２ａが立上り部６に当接して、それ以上の抜け出し方向への移動が立上り部６によって阻止されるので、嵌合深さが一定以上に浅くならず、嵌合の外れが防止されることになる。
【００２０】
従って、外壁パネルＡの幅方向の一端部を嵌合により接合し、その反対の端部をタッピングビス等の止め具５により壁下地Ｂに固定する構造であるにもかかわらず強風下においても嵌合が容易に外れることがない。また、外壁パネルＡとは別個の補強金具Ｃによって前記立上り部６を形成するので、外壁パネルＡとしては既製のものでよく、既存の外壁面に対する適用、耐風性能の向上が可能である。
【００２１】
図４、図５は、他の実施形態を示し、前記立上り部６を被挿入用接合部４に折り曲げ加工によって一体成形した点に特徴がある。その他の構成は、図１〜図３の実施形態と同じであるため、説明を省略する。
【００２２】
この構成によっても、図１〜図３の実施形態と同様な作用効果が得られることになる。即ち、図５の（Ａ）、（Ｂ）に示すように、先行して壁下地Ｂに固定された壁パネルＡの側板部２ｂと立上り部６との隙間に、次の壁パネルＡの挿入用接合部３を表面側から差し込んで、仮想線で示す状態から実線で示す状態へと、当該壁パネルＡを側板部２ａと挿入用接合部３の角部を中心に矢印ａ方向に回転させつつ当該壁パネルＡを押し込むことにより、図５の（Ｂ）に実線で示すように、挿入用接合部３を被挿入用接合部４に嵌め込むことができ、施工が完了した状態においては、挿入用接合部３側の側板部２ａと立上り部６との間に、挿入用接合部３と被挿入用接合部４との嵌合深さＬ1よりも狭い隙間Ｌ2が形成されているので、台風などの強風時に生じる負圧によって外壁パネルＡが外側（屋外側）に引っ張られたとき、主板部１が外側に膨らむにつれて、前記隙間Ｌ2の範囲内で挿入用接合部３が被挿入用接合部４から抜け出る方向に移動するが、側板部２ａが立上り部６に当接して、それ以上の抜け出し方向への移動が立上り部６によって阻止されるので、嵌合深さが一定以上に浅くならず、嵌合の外れが防止されるのである。
【００２３】
しかも、上記の構成によれば、外壁パネルＡの被挿入用接合部４に前記立上り部６を一体成形するので、既製の外壁パネルに対して外壁パネルＡの断面形状が変更されるだけであり、補強金具Ｃを用いる場合に比して外壁面を構成する部材点数が少なくて済むばかりでなく、一体成形された立上り部６が水返しとして機能するので、たとえ挿入用接合部３と被挿入用接合部４の嵌合部に雨水が浸入しても、それ以上の浸入を確実に阻止できるという効果がある。
【００２４】
尚、図示の例では、挿入用接合部３を、その幅方向の中央部で屈曲した断面形状とすることにより、屈曲部分の弾性復元力によって被挿入用接合部４の溝内面に密着させて嵌合のガタツキを無くすと共に、挿入用接合部３と被挿入用接合部４が嵌合する溝内に毛細管現象を絶つ隙間を形成して、雨水の浸入を防止するように工夫してあるが、図６に示すように、外壁パネルＡ，Ａ間に目地Ｍを形成する場合は、挿入用接合部３は平坦な断面形状とすることが、目地Ｍの底面を綺麗に見せる点で、好ましい。図６の実施形態では、立上り部６を補強金具Ｃによって形成したが、図４、図５の実施形態と同様に、立上り部６を被挿入用接合部４に折り曲げ加工によって一体成形してもよい。
【図面の簡単な説明】
【００２５】
【図１】本発明に係る外壁パネルの取付け構造を示す横断平面図である。
【図２】要部の斜視図である。
【図３】作用を説明する要部の拡大横断平面図である。
【図４】他の実施形態を示す横断平面図である。
【図５】作用を説明する要部の拡大横断平面図である。
【図６】他の実施形態を示す要部の拡大横断平面図である。
【図７】従来例の説明図である。
【符号の説明】
【００２６】
Ａ  外壁パネル
Ｌ1  嵌合深さ
Ｌ2  隙間
１  主板部
２ａ，２ｂ  側板部
３  挿入用接合部
４  被挿入用接合部
６  立上り部
【図１】
2006161339.tif 000003
【図２】
2006161339.tif 000004
【図３】
2006161339.tif 000005
【図４】
2006161339.tif 000006
【図５】
2006161339.tif 000007
【図６】
2006161339.tif 000008
【図７】
2006161339.tif 000009